(57)【要約】      （修正有）【課題】特に刃具の着脱が容易な刃具及びその刃具固定構造を提供する。【解決手段】刃具固定構造は、固定座２０と、引きボルト３０と、止め部材４０と、円筒管５０と、一体構造の結合座を備える刃具６０を有し、その内、引きボルト３０、止め部材４０、円筒管５０がそれぞれ固定座２０の内部に取り付けられると共に、該刃具６０の一部が円筒管５０を通過して引きボルト３０に取り付けられる。また、該刃具６０は、一体構造の結合座を介して引きボルト３０に螺合されることによって、刃具６０を簡単に引きボルト３０に取り付けたり、引きボルト３０から取り外したりすることができ、組立の手間や時間を節約できるので、実用性に優れており、デザイン性にも優れている。【選択図】図２
0003203371.tif 000002
【実用新案登録請求の範囲】
【請求項１】
一端に同心の状態で延設されるフランジ部が設けられる挿入部を備える結合座と、
前記フランジ部の一端に同心状態で延設される刃軸部と、
前記フランジ部の内部に軸方向に形成されると共に、外部と連通し、内周面にネジ山が設けられる螺合穴と、を有することを特徴とする一体構造の結合座を備える刃具。
【請求項２】
前記挿入部は、断面が三角形を呈することを特徴とする請求項１に記載の一体構造の結合座を備える刃具。
【請求項３】
前記挿入部の他端の端面に装設穴が、フランジ部に向かって螺合穴と連通するように形成されることを特徴とする請求項２に記載の一体構造の結合座を備える刃具。
【請求項４】
前記刃軸部の先端に刃設置部が形成され、また、該刃軸部の内部に、螺合穴と連通すると共に、刃設置部に向かって刃軸部の外部まで連通する切削液穴が形成されることを特徴とする請求項３に記載の一体構造の結合座を備える刃具。
【請求項５】
固定座と、引きボルトと、止め部材と、円筒管と、一体構造の結合座を備える刃具を有し、その内、該一体構造の結合座を備える刃具は、挿入部、及び該挿入部の一端に同心の状態で延設されるフランジ部を備える結合座と、前記フランジ部の一端に同心の状態で延設される刃軸部と、前記フランジ部の内部に軸方向に形成されると共に、外部と連通するように、内周面にネジ山が設けられる螺合穴と、を備えることを特徴とする刃具固定構造。
【請求項６】
前記挿入部は、断面が三角形を呈することを特徴とする請求項５に記載の刃具固定構造。
【請求項７】
前記挿入部の他端の端面に装設穴が、フランジ部に向かって螺合穴と連通するように形成されることを特徴とする請求項６に記載の刃具固定構造。
【請求項８】
前記刃軸部の先端に刃設置部が形成されると共に、該刃軸部の内部に、螺合穴と連通すると共に、刃設置部に向かって刃軸部の外部まで連通する切削液穴が形成されることを特徴とする請求項７に記載の刃具固定構造。
【請求項９】
前記固定座は、当接凹部と、設置穴と、止め穴と、収容穴と、挿入穴を備え、そのうち、該当接凹部は、四角形を呈し、固定座の一側の端面に凹設されると共に、その底部に当接面が設けられ、該設置穴は、固定座の軸方向に沿って当接凹部の当接面に凹設され、該止め穴は、固定座の軸方向に沿って設置穴と連通するように形成されると共に、内周面にネジ山が設けられ、該収容穴は、固定座の軸方向に沿って止め穴と連通するように形成され、該挿入穴は、固定座の軸方向に沿って収容穴と連通するように形成されることを特徴とする請求項８に記載の刃具固定構造。
【請求項１０】
前記引きボルトは、取付部を備え、該取付部は、ネジ山と、ガイド穴と、連通穴とを備え、該ネジ山は、取付部の一側の外周面に設けられ、該ガイド穴は、取付部の端面に凹設され、該連通穴は、ネジ山の近傍に位置すると共に、取付部を径方向に貫通してガイド穴と連通するように形成されることを特徴とする請求項９に記載の刃具固定構造。
【請求項１１】
前記引きボルトにおける取付部における、ネジ山と反対する端に同心の状態でヘッドが延設され、該ヘッドの外径は取付部の外径よりも大きく、また、該ヘッドの端面に六角形の調整穴が凹設され、該ヘッドにおける、調整穴と反対する側の外周面に環状凹部が凹設され、更に、該引きボルトは、ヘッドを介して収容穴に位置するように固定座の内部に設置されることを特徴とする請求項１０に記載の刃具固定構造。
【請求項１２】
前記止め部材は、螺合部及びフランジを備え、該螺合部は、円筒状を呈し、外周面に固定座の止め穴と対応するネジ山が設けられ、該フランジは、環状を呈し、螺合部の一端の外周面に設けられ、また、該止め部材は、引きボルトのヘッドに押し付けるように取付部に環装されると共に、螺合部を介して固定座の止め穴に螺合されることを特徴とする請求項１１に記載の刃具固定構造。
【請求項１３】
前記円筒管は、本体と、当接凸縁と、保持穴と、側壁穴とを備え、該本体を介して設置穴に設置されると共に、該当接凸縁を介して当接凹部に取り付けられ、該本体は、円筒状を呈し、該当接凸縁は、固定座の当接凹部と対応する形状である四角形を呈するように本体の一端に設けられ、該保持穴は、刃具の挿入部と対応する断面が三角形を呈するように、本体及び当接凸縁を貫通するように形成され、該側壁穴は、本体の外周面に保持穴と連通するように径方向に形成されることを特徴とする請求項１２に記載の刃具固定構造。
【考案の詳細な説明】
【技術分野】
【０００１】
本考案は、特に刃具を着脱し易い、刃具及びその刃具固定構造に関するものである。
【背景技術】
【０００２】
図６及び図７に示すように、既存の旋盤加工用の刃具固定構造８０は、固定台８１と、チャック８２と、刃具８３と、刃部８４とを有し、その内、該刃部８４は刃具８３に取り付けられ、該刃具８３はチャック８２に挿設され、該チャック８２は固定台８１に嵌め込まれる。また、前記固定台８１の中心部分に軸方向に貫通穴８１１が形成され、該固定台８１の両側にそれぞれ、貫通穴８１１と連通する３つのネジ穴８１２が形成され、該固定台８１の上面に貫通穴８１１と連通するネジ穴８１２が形成される。前記刃具固定構造８０を組み立てる時は、まず刃具８３をチャック８２に挿し込んで、チャック８２及び刃具８３を固定台８１の貫通穴８１１に挿設して、各ネジ穴８１２にそれぞれボルト８１３を螺設して刃具８３と当接させ、その後、チャック８２により刃具８３を挟持する。
【考案の概要】
【考案が解決しようとする課題】
【０００３】
前記組立手段によれば、刃具の着脱の時にはいずれも、その７つのボルトをいちいち緩めたり締め付けたりするが必要あり、時間や手間がかかり、さらに、その固定台には多くのネジ穴が形成されることから、外観に劣るという問題もあった。
【課題を解決するための手段】
【０００４】
本考案に係る一体構造の結合座を備える刃具は、
一端に同心の状態で延設されるフランジ部が設けられる挿入部を備える結合座と、
前記フランジ部の一端に同心状態で延設される刃軸部と、
前記フランジ部の内部に軸方向に形成されると共に、外部と連通し、内周面にネジ山が設けられる螺合穴と、を有するものである。
【０００５】
かかる一体構造の結合座を備える刃具は、前記挿入部は、断面が三角形を呈することが好ましい。
【０００６】
かかる一体構造の結合座を備える刃具は、前記挿入部の他端の端面に装設穴が、フランジ部に向かって螺合穴と連通するように形成されることが好ましい。
【０００７】
かかる一体構造の結合座を備える刃具は、前記刃軸部の先端に刃設置部が形成され、また、該刃軸部の内部に、螺合穴と連通すると共に、刃設置部に向かって刃軸部の外部まで連通する切削液穴が形成されることが好ましい。
【０００８】
一方、本考案に係る刃具固定構造は、固定座と、引きボルトと、止め部材と、円筒管と、一体構造の結合座を備える刃具を有し、その内、該一体構造の結合座を備える刃具は、挿入部、及び該挿入部の一端に同心の状態で延設されるフランジ部を備える結合座と、前記フランジ部の一端に同心の状態で延設される刃軸部と、前記フランジ部の内部に軸方向に形成されると共に、外部と連通するように、内周面にネジ山が設けられる螺合穴と、を備えるものである。
【０００９】
かかる刃具固定構造は、前記挿入部は、断面が三角形を呈することが好ましい。
【００１０】
かかる刃具固定構造は、前記挿入部の他端の端面に装設穴が、フランジ部に向かって螺合穴と連通するように形成されることが好ましい。
【００１１】
かかる刃具固定構造は、前記刃軸部の先端に刃設置部が形成されると共に、該刃軸部の内部に、螺合穴と連通すると共に、刃設置部に向かって刃軸部の外部まで連通する切削液穴が形成されることが好ましい。
【００１２】
かかる刃具固定構造は、前記固定座は、当接凹部と、設置穴と、止め穴と、収容穴と、挿入穴を備え、そのうち、該当接凹部は、四角形を呈し、固定座の一側の端面に凹設されると共に、その底部に当接面が設けられ、該設置穴は、固定座の軸方向に沿って当接凹部の当接面に凹設され、該止め穴は、固定座の軸方向に沿って設置穴と連通するように形成されると共に、内周面にネジ山が設けられ、該収容穴は、固定座の軸方向に沿って止め穴と連通するように形成され、該挿入穴は、固定座の軸方向に沿って収容穴と連通するように形成されることが好ましい。
【００１３】
かかる刃具固定構造は、前記引きボルトは、取付部を備え、該取付部は、ネジ山と、ガイド穴と、連通穴とを備え、該ネジ山は、取付部の一側の外周面に設けられ、該ガイド穴は、取付部の端面に凹設され、該連通穴は、ネジ山の近傍に位置すると共に、取付部を径方向に貫通してガイド穴と連通するように形成されることが好ましい。
【００１４】
かかる刃具固定構造は、前記引きボルトにおける取付部における、ネジ山と反対する端に同心の状態でヘッドが延設され、該ヘッドの外径は取付部の外径よりも大きく、また、該ヘッドの端面に六角形の調整穴が凹設され、該ヘッドにおける、調整穴と反対する側の外周面に環状凹部が凹設され、更に、該引きボルトは、ヘッドを介して収容穴に位置するように固定座の内部に設置されることが好ましい。
【００１５】
かかる刃具固定構造は、前記止め部材は、螺合部及びフランジを備え、該螺合部は、円筒状を呈し、外周面に固定座の止め穴と対応するネジ山が設けられ、該フランジは、環状を呈し、螺合部の一端の外周面に設けられ、また、該止め部材は、引きボルトのヘッドに押し付けるように取付部に環装されると共に、螺合部を介して固定座の止め穴に螺合されることが好ましい。
【００１６】
かかる刃具固定構造は、前記円筒管は、本体と、当接凸縁と、保持穴と、側壁穴とを備え、該本体を介して設置穴に設置されると共に、該当接凸縁を介して当接凹部に取り付けられ、該本体は、円筒状を呈し、該当接凸縁は、固定座の当接凹部と対応する形状である四角形を呈するように本体の一端に設けられ、該保持穴は、刃具の挿入部と対応する断面が三角形を呈するように、本体及び当接凸縁を貫通するように形成され、該側壁穴は、本体の外周面に保持穴と連通するように径方向に形成されることが好ましい。
【考案の効果】
【００１７】
本考案に係る一体構造の結合座を備える刃具及びその刃具固定構造は、引きボルトが着脱可能にネジ山を介して刃具の螺合穴に螺合されることから、六角レンチを用いて刃具を簡単に引きボルトに取り付けたり、引きボルトから取り外したりすることができる。故に、刃具を着脱する時に、沢山のボルトを緩めたり、締め付けたりすることが不要であることから、組立の手間や時間を節約できるので、実用性に優れており、その上、固定座に多くの穴を開ける必要もないので、デザイン性にも優れている。
【図面の簡単な説明】
【００１８】
【図１】本考案に係る本実施例の斜視図である。
【図２】本考案に係る本実施例の部分断面分解斜視図である。
【図３】本考案に係る本実施例の部分断面説明図である。
【図４】図３のＡ−Ａ線の断面図である。
【図５】本考案に係る本実施例の刃具の断面斜視図である。
【図６】既存の刃具固定構造の斜視図である。
【図７】既存の刃具固定構造の部分断面説明図である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１乃至図２に示すように、本考案に係る一体構造の結合座を備える刃具の刃具固定構造は、固定座２０と、引きボルト３０と、止め部材４０と、円筒管５０と、刃具６０と、刃部７０とを有し、その引きボルト３０、止め部材４０、円筒管５０は固定座２０の内部に取り付けられ、該刃具６０の一部は円筒管５０を通過して引きボルト３０に螺合され、該刃部７０は刃具６０の先端に取り付けられる。
【００２１】
図１乃至図３に示すように、前記固定座２０は、当接凹部２１と、設置穴２２と、止め穴２３と、収容穴２４と、挿入穴２５を備え、そのうち、該当接凹部２１は、四角形を呈し、固定座２０の一側の端面に凹設されると共に、その底部に当接面２１１が設けられ、該設置穴２２は、固定座２０の軸方向に沿って当接凹部２１の当接面２１１に凹設され、該止め穴２３は、固定座２０の軸方向に沿って設置穴２２と連通するように形成されると共に、内周面にネジ山が設けられ、該収容穴２４は、固定座２０の軸方向に沿って止め穴２３と連通するように形成され、該挿入穴２５は、固定座２０の軸方向に沿って収容穴２４と連通するように形成される。
【００２２】
図２及び図３に示すように、前記引きボルト３０は、複数の異なる外径を有する円柱体であり、大径のヘッド３１及び小径の取付部３２を備え、そのうち、ヘッド３１の端面に六角形の調整穴３１１が凹設され、該ヘッド３１における、調整穴３１１と反対する側の外周面に環状凹部３１２が凹設され、該取付部３２は、ヘッド３１における、環状凹部３１２側の端面に延設され、ネジ山３２１と、ガイド穴３２２と、連通穴３２３とを備え、該ネジ山３２１は、取付部３２における、ヘッド３１と反対する側の外周面に設けられ、該ガイド穴３２２は、取付部３２における、ヘッド３１と反対する端の端面に凹設され、該連通穴３２３は、ネジ山３２１の近傍に位置すると共に、取付部３２を径方向に貫通してガイド穴３２２と連通するように形成され、該引きボルト３０は、ヘッド３１を介して収容穴２４と対応するように、固定座２０の内部に設置される。
【００２３】
図２及び図３に示すように、前記止め部材４０は、螺合部４１及びフランジ４２を備え、該螺合部４１は、円筒状を呈し、外周面に固定座２０の止め穴２３と対応するネジ山が設けられ、該フランジ４２は、環状を呈し、螺合部４１の一端の外周面に設けられ、また、該止め部材４０は、引きボルト３０のヘッド３１に押し付けるように取付部３２に環装されて、螺合部４１を介して固定座２０の止め穴２３に螺合される。
【００２４】
図２及び図３に示すように、前記円筒管５０は、本体５１と、当接凸縁５２と、保持穴５３と、側壁穴５４とを備え、該本体５１を介して固定座２０の内部の設置穴２２に設置されると共に、当接凸縁５２を介して当接凹部２１に取り付けられ、そのうち、本体５１は、円筒状を呈し、該当接凸縁５２は、固定座２０の当接凹部２１の形状と対応する四角形を呈すると共に、本体５１の一端に設けられ、該保持穴５３は、断面が三角形を呈すると共に、本体５１及び当接凸縁５２を貫通するように形成され、該側壁穴５４は、本体５１の外周面に保持穴５３と連通するように径方向に形成される。
【００２５】
図２乃至図５に示すように、前記刃具６０は、結合座と、刃軸部６３と、装設穴６４と、螺合穴６５と、切削液穴６６とを有し、そのうち、結合座は、挿入部６１及びフランジ部６２を備え、該挿入部６１は、円筒管５０の保持穴５３と対応する三角形の断面を有し、該フランジ部６２は、円柱形を呈し、挿入部６１と同心状態でその一端に延設される。前記刃軸部６３は、フランジ部６２と同心状態でフランジ部６２の一端に延設されると共に、該刃軸部６３の先端に刃設置部６３１が形成され、前記装設穴６４は、挿入部６１の端面にフランジ部６２に向かって凹設され、前記螺合穴６５は、装設穴６４と連通するように、フランジ部６２の内部に軸方向に形成されると共に、該螺合穴６５の内周面に、引きボルト３０のネジ山３２１と対応するネジ山が設けられ、前記切削液穴６６は、螺合穴６５と連通すると共に、刃設置部６３１に向かって刃軸部６３の外部まで連通するように、該刃軸部６３の内部に形成される。
【００２６】
図２乃至図３に示すように、前記刃部７０は、刃軸部６３の刃設置部６３１に取り付けられる。
【００２７】
図３に示すように、その刃具６０を取り付ける時は、六角レンチなどの工具を、固定座２０の挿入穴２５から引きボルト３０の調整穴３１１に差し込んで引きボルト３０を回転させて締め付ける。この時、止め部材４０により引きボルト３０を止めることから、引きボルト３０はその位置から移動せずにそのまま回転するので、刃具６０は、螺合穴６５を介して引きボルト３０のネジ山３２１に螺合して引きボルト３０へ接近するように移動する。一方、その刃具６０を取り外す時は、六角レンチなどの工具を、固定座２０の挿入穴２５から引きボルト３０の調整穴３１１に差し込んで引きボルト３０を逆方向に回転させて緩める。この時、止め部材４０により引きボルト３０を止めることから、引きボルト３０はその位置から移動せずにそのまま回転するので、刃具６０は、螺合穴６５を介して引きボルト３０のネジ山３２１に螺合して引きボルト３０から離間するように移動し、その刃具６０が引きボルト３０から離れると、円筒管５０から自由に引き抜くことができる。
【００２８】
上述したように、本考案に係る一体構造の結合座を備える刃具の刃具固定構造は、引きボルト３０が着脱可能にネジ山３２１を介して刃具６０の螺合穴６５に螺合されることから、六角レンチなどの工具を用いて刃具６０を簡単に引きボルト３０に着脱することができる。故に、刃具６０の着脱時に、多くのボルトやねじを用いる必要がなく、組立の手間や時間も節約できることから、実用性に優れると共に、固定座２０に多くの穴を開ける必要もないので、デザイン性に優れたものになる。
【符号の説明】
【００２９】
２０                    固定座
２１１                  当接面
２２                    設置穴
２３                    止め穴
２４                    収容穴
２５                    挿入穴
３０                    引きボルト
３１                    ヘッド
３１１                  調整穴
３１２                  環状凹部
３２                    取付部
３２１                  ネジ山
３２２                  ガイド穴
３２３                  連通穴
４０                    止め部材
４１                    螺合部
４２                    フランジ
５０                    円筒管
５１                    本体
５２                    当接凸縁
５３                    保持穴
５４                    側壁穴
６０                    刃具
６１                    挿入部
６２                    フランジ部
６３                    刃軸部
６３１                  刃設置部
６４                    装設穴
６５                    螺合穴
６６                    切削液穴
７０                    刃部
８０                    刃具固定構造
８１                    固定台
８２                    チャック
８３                    刃具
８４                    刃部
８１１                  貫通穴
８１２                  ネジ穴
８１３                  ボルト
【図１】
0003203371.tif 000003
【図２】
0003203371.tif 000004
【図３】
0003203371.tif 000005
【図４】
0003203371.tif 000006
【図５】
0003203371.tif 000007
【図６】
0003203371.tif 000008
【図７】
0003203371.tif 000009